(57)【特許請求の範囲】
【請求項１】
エスカッションと、前記エスカッションに対して前方向又は後方向に移動可能に設けた調整リングと、撮像素子を装着し、前記調整リングの移動に応じて前方向または後方向に移動し、前記撮像素子に係るフランジバック距離を変更調整するブラケットとを有するテレビカメラの光学系装置であって、
カラー本体、前記カラー本体の一端に形成されたフランジ部、及び前記カラー本体の他端から前記フランジ部にかけて貫通する貫通孔を有するカラー部材と、
前記カラー本体に介装保持されるコイルバネと、
前記カラー部材の貫通孔内に挿入する捩子と、
前記捩子と螺合する捩子孔を有し、前記捩子孔の周囲に前記カラー本体の他端に接する接触部を設けたエスカッションと、
前記カラー部材のカラー本体と嵌合する嵌合孔及び前記嵌合孔の外周に前記コイルバネと当接する外周縁部を設けたブラケットとを備え、
前記コイルバネを前記ブラケットの外周縁部と前記カラー部材のフランジ部で挟むとともに、前記捩子が前記ブラケットの嵌合孔に挿入された前記カラー部材の貫通孔を貫通し、前記エスカッションの捩子孔に固定し、前記撮像素子を装着したブラケットを前記調整リングの前方向又は後方向移動に応じて、前記カラー部材のフランジ部及び前記エスカッションの接触部間の範囲で移動することを特徴とするテレビカメラの光学系装置。
【発明の詳細な説明】
【０００１】
【発明の属する技術分野】
本発明は、テレビカメラ、殊にＣＣＴＶカメラの光学系装置に関する。
【０００２】
【従来の技術】
図７は従来のテレビカメラの光学系装置の構造を示す分解斜視図である。
【０００３】
従来、この種のテレビカメラの光学系装置１００としては、図７に示すようにエスカッション１０１と、このエスカッション１０１に対して前方向又は後方向に移動可能として、図示せぬレンズ座面から撮像位置までの距離であるフランジバック（以下、単にＦＢと称する）距離を調整するＦＢ調整リング１０２と、撮像素子１０３を素子基板１０４に取り付けるための素子取付座部１０５と、この素子取付座部１０５を装着するブラケット１０６と、コイルバネ１０７を介して、このブラケット１０６を前方向（エスカッション側）に押圧する前面シャーシ１０８とを有している。
【０００４】
前記ＦＢ調整リング１０２の内周側には捩子部１０２ａが形成してあり、さらにエスカッション１０１にも、この捩子部１０２ａと螺合する捩子部１０１ａが形成してあり、このエスカッション１０１に対してＦＢ調整リング１０２を回転させると、このＦＢ調整リング１０２が前方向又は後方向に移動し、このＦＢ調整リング１０２の移動に応じてブラケット１０６を前方向又は後方向に移動するような構成にしてある。
【０００５】
前記ブラケット１０６の背面、つまり素子取付座部１０５の取付側には、前記コイルバネ１０７の一端を介装する突起１０６ａが設けてあり、前記前面シャーシ１０８の正面、つまりブラケット押圧面側には、前記コイルバネ１０７の他端を介装する突起１０８ａが設けてある。さらに、このブラケット１０６には、捩子１０５ａを介して、素子取付座部１０５が取り付けてあり、このブラケット１０６には、素子取付座部１０５の素子基板１０４に装着された撮像素子１０３を表出させる開口部１０６ｂが形成してある。
【０００６】
このようなテレビカメラの光学系装置１００としては、前記ＦＢ調整リング１０２を回転させることにより、このＦＢ調整リング１０２の捩子部１０２ａとエスカッション１０１の捩子部１０１ａとが螺合して、このＦＢ調整リング１０２が前方向又は後方向に移動すると同時に、このＦＢ調整リング１０２がブラケット１０６を前方向又は後方向に移動することにより、ブラケット１０６に取り付けられた素子取付座部１０５の撮像素子１０３が同時に移動するので、ＦＢ距離を調整することができるような構成にしてある。
【０００７】
【発明が解決しようとする課題】
しかしながら、上記従来のテレビカメラの光学系装置１００によれば、図７に示すように、エスカッション１０１の凹部１０１ｂの幅とブラケット１０６の凸部１０６ｃの幅とにはガタツキがあり、ＦＢ調整リング１０２を回転させたときにＦＢ調整リング１０２の回転にガタツキが発生して、ＦＢ距離の調整時に画面が動いてしまうといった問題点があった。尚、このようなガタツキは、部品の抜きテーパの関係で寸法精度だけでは解決することができない。
【０００８】
また、このような従来のテレビカメラの光学系装置１００によれば、前面シャーシ１０８及びコイルバネ１０７を利用してブラケット１０６にバネ圧をかける必要があるが、構造が複雑になって組み立てに多くの工数が必要となり、さらには前面シャーシ１０８を必要とするので装置が大型化してしまうといった問題点があった。
【０００９】
本発明は、上記問題点に鑑みてなされたものであり、その目的とするところは、その構造を簡素化しながら、装置自体の小型化を図ると共に、精度の高いＦＢ距離の調整を実現することができるテレビカメラの光学系装置を提供することにある。
【００１０】
【課題を解決するための手段】
上記目的を達成するために本発明のテレビカメラの光学系装置は、エスカッションと、前記エスカッションに対して前方向又は後方向に移動可能に設けた調整リングと、撮像素子を装着し、前記調整リングの移動に応じて前方向又は後方向に移動し、前記撮像素子に係るフランジバック距離を変更調整するブラケットとを有するテレビカメラの光学系装置であって、カラー本体、前記カラー本体の一端に形成されたフランジ部、及び前記カラー本体の他端から前記フランジ部にかけて貫通する貫通孔を有するカラー部材と、前記カラー本体に介装保持されるコイルバネと、前記カラー部材の貫通孔内に挿入する捩子と、前記捩子と螺合する捩子孔を有し、前記捩子孔の周囲に前記カラー本体の他端に接する接触部を設けたエスカッションと、前記カラー部材のカラー本体と嵌合する嵌合孔及び前記嵌合孔の外周に前記コイルバネと当接する外周縁部を設けたブラケットとを備え、前記コイルバネを前記ブラケットの外周縁部と前記カラー部材のフランジ部で挟むとともに、前記捩子が前記ブラケットの嵌合孔に挿入された前記カラー部材の貫通孔を貫通し、前記エスカッションの捩子孔に固定し、前記撮像素子を装着したブラケットを前記調整リングの前方向又は後方向移動に応じて、前記カラー部材のフランジ部及び前記エスカッションの接触部間の範囲で移動するものである。
【００１１】
従って、本発明のテレビカメラの光学系装置によれば、ブラケットとエスカッションとの間のガタツキがないので、調整リングを移動したとしても、このブラケットに装着した撮像素子がガタツキのない状態で前方向又は後方向に移動するようにしたので、光軸及び傾きの精度が向上し、しかも、精度の高いＦＢ距離の調整を実現することができる。
【００１２】
また、本発明のテレビカメラの光学系装置によれば、従来のように前面シャーシを使用する必要がないので、例えば撮像素子を装着する素子基板の大きさに制約が無くなって、この光学系装置の断面積に近い面積の基板を取り付けることができるために、従来、別々の基板にしていた回路を一体化することにより、組立工数と材料コストとを大幅に低減することができると共に、この光学系装置本体を小型化して、テレビカメラの小型化に大きく寄与することができる。
【００１３】
【発明の実施の形態】
本発明における請求項１記載のテレビカメラの光学系装置は、エスカッションと、前記エスカッションに対して前方向又は後方向に移動可能に設けた調整リングと、撮像素子を装着し、前記調整リングの移動に応じて前方向又は後方向に移動し、前記撮像素子に係るフランジバック距離を変更調整するブラケットとを有するテレビカメラの光学系装置であって、カラー本体、前記カラー本体の一端に形成されたフランジ部、及び前記カラー本体の他端から前記フランジ部にかけて貫通する貫通孔を有するカラー部材と、前記カラー本体に介装保持されるコイルバネと、前記カラー部材の貫通孔内に挿入する捩子と、前記捩子と螺合する捩子孔を有し、前記捩子孔の周囲に前記カラー本体の他端に接する接触部を設けたエスカッションと、前記カラー部材のカラー本体と嵌合する嵌合孔及び前記嵌合孔の外周に前記コイルバネと当接する外周縁部を設けたブラケットとを備え、前記コイルバネを前記ブラケットの外周縁部と前記カラー部材のフランジ部で挟むとともに、前記捩子が前記ブラケットの嵌合孔に挿入された前記カラー部材の貫通孔を貫通し、前記エスカッションの捩子孔に固定し、前記撮像素子を装着したブラケットを前記調整リングの前方向又は後方向移動に応じて、前記カラー部材のフランジ部及び前記エスカッションの接触部間の範囲で移動することを特徴とする。
【００１４】
尚、前記調整リングは、例えばエスカッションに対して回転可能に取り付けてあり、この回転動作に応じてエスカッションに対して前方向又は後方向に移動するものである。
【００１５】
従って、本発明における請求項１記載のテレビカメラの光学系装置によれば、ブラケットの嵌合孔内に、コイルバネを介装したカラー部材のカラー本体を嵌合し、このカラー本体の貫通孔内に挿入された捩子をエスカッションに設けた接触部の捩子孔に螺合することにより、ブラケットとエスカッションとの間のガタツキがなくなり、調整リングを移動したとしても、このブラケットに装着した撮像素子がガタツキのない状態で前方向又は後方向に移動するようにしたので、光軸及び傾きの精度が向上し、しかも、精度の高いＦＢ距離の調整を実現することができる。
【００１６】
また、本発明における請求項１記載のテレビカメラの光学系装置によれば、従来のように前面シャーシを使用する必要がないので、例えば撮像素子を装着する素子基板の大きさに制約が無くなって、この光学系装置の断面積に近い面積の基板を取り付けることができるために、従来、別々の基板にしていた回路を一体化することにより、組立工数と材料コストとを大幅に低減することができると共に、この光学系装置本体の小型化を図って、今後の流れであるテレビカメラの小型化に大きく寄与することができる。
【００１９】
以下、図面に基づいて本発明の実施の形態を示すＣＣＴＶカメラの光学系装置について説明する。
【００２０】
（実施の形態１）
図１は本発明の実施の形態１を示すＣＣＴＶカメラの光学系装置の分解斜視図である。図２は同要部を示す分解斜視図である。
【００２１】
図１においてＣＣＴＶカメラ１０は、エスカッション１１と、このエスカッション１１に対して前後方向に移動可能として、図示せぬレンズ座面から撮像位置までの距離であるＦＢ距離を調整するＦＢ調整リング１２と、撮像素子１３を装着した素子基板１４と、この素子基板１４を捩子１５を介して装着するブラケット１６と、このブラケット１６をエスカッション１１側に押圧保持する保持部材１８とを有している。
【００２２】
この保持部材１８は、カラー部材１９と、コイルバネ１７と、捩子２０とを有しており、前記カラー部材１９は、円筒部１９ａと、この円筒部１９ａの一端に形成したフランジ部１９ｂと、この円筒部１９ａの他端からフランジ部１９ｂにかけて貫通する貫通孔である捩子孔１９ｃとを有している。
【００２３】
前記ＦＢ調整リング１２には捩子部１２ａが形成してあり、さらに前記エスカッション１１には前記捩子部１２ａと螺合する捩子部１１ａが形成してあるので、このＦＢ調整リング１２を回転させると、このＦＢ調整リング１２は、エスカッション１１に対して前方向又は後方向に移動するような構成にしてある。
【００２４】
前記ブラケット１６には、前記素子基板１４を装着するための捩子孔１６ａが形成してあり、この捩子孔１６ａに捩子１５を螺合することにより、このブラケット１６に素子基板１４が取り付けてある。
【００２５】
また、このブラケット１６には、素子基板１４が装着されると、この素子基板１４に装着した撮像素子１３を表出させる開口部１６ｂと、前記カラー部材１９の円筒部１９ａを嵌合する嵌合孔１６ｃとが形成してあり、この嵌合孔１６ｃの外周縁部１６ｄはカラー部材１９に介装されたコイルバネ１７に押圧される部分である。
【００２６】
また、前記エスカッション１１の裏面には、前記カラー部材１９の円筒部１９ａの他端と当接する接触部１１ｂが形成してあり、この接触部１１ｂには前記円筒部１９ａの貫通孔１９ｃに挿入した捩子２０と螺合する捩子孔１１ｃが形成してある。
【００２７】
では、このように構成された光学系装置１０の組立動作について説明する。図３は同光学系装置１０の組立完成後の構造を示す断面図である。
【００２８】
前記ブラケット１６には、捩子１５を介して、撮像素子１３を装着した素子基板１４が取り付けてある。尚、このように撮像素子１３を装着した素子基板１４をブラケット１６に取り付けたことにより、光軸及び傾きが保証されることになる。
【００２９】
次に、このブラケット１６をエスカッション１１に取り付ける場合には、まず、前記カラー部材１９の円筒部１９ａにコイルバネ１７を介装し、この円筒部１９ａをブラケット１６の嵌合孔１６ｃに嵌合する。
【００３０】
この際、前記ブラケット１６の嵌合孔１６ｃ内においては、カラー部材１９の円筒部１９ｂを嵌合保持するものである。また、この円筒部１９ｂに介装されたコイルバネ１７は、この嵌合孔１６ｃの外周縁部１６ｄとカラー部材１９のフランジ部１９ｂとの間で保持されるものである。
【００３１】
前記ブラケット１６の嵌合孔１６ｃに嵌合されたカラー部材１９の先端を前記エスカッション１１の接触部１１ｂに当接し、このカラー部材１９のフランジ部１９ｂ側の貫通孔１９ｃから捩子２０を挿入し、この捩子２０を接触部１１ｂにある捩子孔１１ｃに螺合する。
【００３２】
これにより撮像素子１３を装着した素子基板１４を取り付けたブラケット１６は、ガタツキなく、エスカッション１１に取り付けられたことになる。尚、この際、エスカッション１１のレンズ用捩子の中心５０と撮像素子１３の撮像中心とが一致することになる。さらに、コイルバネ１７の弾性がブラケット１６に働いて、常に一方向（前方向）へ押しつけることになる。
【００３３】
この状態でＦＢ調整リング１２の捩子部１２ａとエスカッション１１の捩子部１１ａとを螺合して、ＦＢ調整リング１２を回転させると、このＦＢ調整リング１２がエスカッション１１に対して前方向又は後方向に移動し、このＦＢ調整リング１２の前方向又は後方向への移動に応じて、ブラケット１６及び撮像素子１３が前方向又は後方向に移動する。
【００３４】
これにより、図示せぬレンズ座面から撮像位置までの距離であるＦＢ距離を調整する、精度の高いフランジバック調整が可能となる。
【００３５】
従って、本実施の形態によれば、ブラケット１６とエスカッション１１との間のガタツキがなくなり、ＦＢ調整リング１２を回転したとしても、このブラケット１６に装着した撮像素子１３がガタツキのない状態で前方向又は後方向に移動するようにしたので、光軸及び傾きの精度が向上し、しかも、精度の高いＦＢ距離の調整を実現することができる。
【００３６】
また、本実施の形態１によれば、従来のように前面シャーシを使用する必要がないので、例えば撮像素子１３を装着する素子基板１４の大きさに制約が無くなって、この光学系装置１０の断面積に近い面積の基板を取り付けることができるために、従来、別々の基板にしていた回路を一体化することにより、組立工数と材料コストとを大幅に低減することができると共に、この光学系装置１０本体を小型化することにより、今後の動向でもあるテレビカメラの小型化に大きく寄与することができる。
【００３７】
（実施の形態２）
図４は本発明の実施の形態２を示すＣＣＴＶカメラの光学系装置の分解斜視図である。図５は同要部を示す分解斜視図である。
【００３８】
この実施の形態２によるＣＣＴＶカメラの光学系装置は、カラー部材１９１のカラー本体１９１ａの他端から一体に捩子部１９１ｃを突設して、前記実施の形態１の別体の捩子２０を廃止し、これにともない、カラー本体１９１ａにおける捩子２０を挿入する貫通孔１９ｃを廃止している点、実施の形態１に対して異なるも、その他の点は実施の形態１と同様に構成しているものである。
【００３９】
このように構成する実施の形態２によれば、カラー本体１９１ａの他端から捩子部１９１ｃを一体に突設したことにより、実施の形態１における別体の捩子２０およびこの捩子２０が挿入する貫通孔１９ｃを廃止することができて、部品点数の減少および構造を更に簡略化できる等期待できる。
【００４０】
【発明の効果】
上記のように構成された本発明のテレビカメラの光学系装置によれば、ブラケットとエスカッションとの間のガタツキがないので、調整リングを移動したとしても、このブラケットに装着した撮像素子がガタツキのない状態で前方向又は後方向に移動するようにしたので、光軸及び傾きの精度が向上し、しかも、精度の高いＦＢ距離の調整を実現することができる。
【００４１】
また、本発明のテレビカメラの光学系装置によれば、従来のように前面シャーシを使用する必要がないので、例えば撮像素子を装着する素子基板の大きさに制約が無くなって、この光学系装置の断面積に近い面積の基板を取り付けることができるために、従来、別々の基板にしていた回路を一体化することにより、組立工数と材料コストとを大幅に低減することができると共に、この光学系装置本体を小型化することにより、今後の動向でもあるテレビカメラの小型化に大きく寄与することができる。
【図面の簡単な説明】
【図１】本発明におけるテレビカメラの光学系装置の実施の形態１を示すＣＣＴＶカメラの光学系装置の構造を示す分解斜視図
【図２】図１に示す光学系装置の要部を端的に示した分解斜視図
【図３】本実施の形態の組立完成後における光学系装置の構造を示す断面図
【図４】本発明におけるテレビカメラの光学系装置の実施の形態２を示すＣＣＴＶカメラの光学系装置の構造を示す分解斜視図
【図５】図４に示す光学系装置の要部を端的に示した分解斜視図
【図６】本実施の形態２の組立完成後における光学系装置の構造を示す断面図
【図７】従来のテレビカメラの光学系装置の構造を示す分解斜視図
【符号の説明】
１０  光学系装置
１１  エスカッション
１２  ＦＢ調整リング（調整リング）
１３  撮像素子
１６  ブラケット
１６ｃ  嵌合孔
１６ｄ  外周縁部
１７  コイルバネ
１８  保持部材
１９、１９１  カラー部材
１９ａ、１９１ａ  円筒部（カラー本体）
１９ｂ、１９１ｂ  フランジ部
１９ｃ、  貫通孔
２０、１９１ｃ  捩子
【図１】
0003608143.tif 000002
【図２】
0003608143.tif 000003
【図３】
0003608143.tif 000004
【図４】
0003608143.tif 000005
【図５】
0003608143.tif 000006
【図６】
0003608143.tif 000007
【図７】
0003608143.tif 000008